(57)【特許請求の範囲】
【請求項１】
モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に支持軸によって回転自在に設けたポンプランナーと、このポンプランナーを回転させることで前記吸込み室と前記ポンプランナー収納室と気水分離室とに水を吸込ませるための吸水口と、前記ポンプランナーを回転させることで前記吸込み室内及び前記ポンプランナー収納室内の水を前記ポンプカバーの外方に吐出させるための吐出口と、前記ポンプランナーに設けた従動側円筒状マグネット体と、前記モータ部材の回転軸に取り付けられた駆動側円筒状マグネット体とを少なくとも備え、前記ポンプケーシングを、前記ポンプランナー収納室に連通させてなる気水分離室と、この気水分離室に併設されて前記ポンプケーシングの反ポンプカバー側に設けた挿入開口から前記モータ部材の一部及び前記駆動側円筒状マグネット体が収納される駆動側円筒状マグネット収納室と、前記ポンプケーシングのポンプランナー収納室に対向する対向外壁に形成されて前記従動側円筒状マグネット体が収納される従動側円筒状マグネット収納室となる円筒状凹部とを形成する構成とし、前記モータ部材の回転軸に前記駆動側円筒状マグネット体が取り付けられた状態でその駆動側円筒状マグネット体を、前記駆動側円筒状マグネット収納室の前記挿入開口から前記駆動側円筒状マグネット収納室に挿入することにより前記駆動側円筒状マグネット体の駆動側円筒状マグネットを前記円筒状凹部の外周に配設させ、かつ、前記円筒状凹部内に前記従動側円筒状マグネット体の従動側円筒状マグネットを配設させることによって、前記駆動側円筒状マグネットと前記従動側円筒状マグネットを、前記ポンプケーシングの外壁を介して同心円筒状に対向させることで磁気結合させるとともに、前記支持軸に、前記ポンプランナーのスラスト方向の移動を規制する２個のスラスト受け部材を設け、かつ、前記ポンプランナーの軸体の中心に、前記支持軸に嵌合する中空円筒部と、この中空円筒部に端縁に形成した円形状鍔部とから構成されるカーボン製の軸受が圧入される構成にした自吸式ポンプ装置において、
前記２個のスラスト受け部材のうち、一方のスラスト受け部材が前記ポンプケーシングの対向外壁とポンプランナーの軸体との間に位置して前記軸受の円形状鍔部に摺接し、かつ、他方のスラスト受け部材が前記仕切り体とポンプランナーの軸体との間に位置して前記中空円筒部に摺接するとともに、
前記支持軸の一端側であるＤカット形状部側を、前記円筒状凹部の中央部に設けたＤカット状嵌合穴に挿入し、かつ、前記支持軸の他端側を、前記仕切り体の流入開口を通して前記ポンプカバーの内壁面に設けた筒状凹部に挿入した後、前記ポンプケーシングと前記ポンプカバーを水密的に一体化させた状態にすることで、前記ポンプケーシングと前記ポンプカバーとの間に前記支持軸を挟持固定した際、前記一方のスラスト受け部材が前記ポンプケーシングの外壁に非接触となり、かつ、前記他方のスラスト受け部材が前記ポンプカバーの内壁に非接触となる構成としたことを特徴とする自吸式ポンプ装置。
【請求項２】
前記２個のスラスト受け部材を、少なくとも２枚からなる前記支持軸に挿入されたワッシャー群と、このワッシャー群が前記支持軸の外方への移動を止める止めリングと、この止めリングを前記支持軸に固定するために前記支持軸の外周に設けた止めリング装着溝とにより、前記ポンプランナーのスラスト方向のクリアランスを、前記ワッシャー群のうちの一枚のワッシャーの厚さ寸法よりも小さく設定されるように、前記支持軸に支持してなることを特徴とする請求項１記載の自吸式ポンプ装置。
【請求項３】
前記ポンプランナーを、一側面に前記従動側円筒状マグネット体を取り付ける円筒状取り付け部材を設け、かつ、他側面に中央開口を設ける構成とし、その円筒状取り付け部材に、前記止めリングを前記支持軸に装着するために使用する止めリング装着用工具を挿入するための工具挿入開口を設けたことを特徴とする請求項１若しくは２記載の自吸式ポンプ装置。
【発明の詳細な説明】
【技術分野】
【０００１】
本発明は、洗濯機のトップカバーに搭載するのに好適な自吸式ポンプ装置に関するものである。
【背景技術】
【０００２】
従来、家庭用の全自動洗濯機及び洗濯乾燥機などの洗濯機では、主に節水を目的として風呂水等を洗濯水として利用するため自吸式ポンプ装置を搭載している。この自吸式ポンプ装置としては、モータ部材と、このモータ部材を収納するモータ収納室及び気水分離室が形成されたポンプケーシングと、このポンプケーシングに取り付けられ、かつ、吸水口、呼び水口及び吐出口を設けたポンプカバーと、このポンプカバー内を渦巻き室及び気水分離室側と吸込み室側とに仕切る仕切り体と、前記渦巻き室に収納されたポンプランナーと、このポンプランナーの軸体と前記モータ部材の回転軸を直接連結する連結手段と、前記渦巻き室からポンプケーシングのモータ収納室側への水の浸入を阻止するためのシール装置とから構成され、そのシール装置を、モータの回転軸に接続されたポンプランナーの軸体外周に可撓性シールリップを摺接させるようにした構造のものが知られている（例えば、特許文献１）。
【０００３】
さらに、動力伝達手段として、マグネットの磁気結合力を利用して液体を送出するマグネットポンプとしては、モータ本体の回転軸に設けた駆動側円筒状マグネットと、この駆動側円筒状マグネットを覆うブラケットと、このブラケットに取り付けられたポンプ部のケーシングと、このケーシングに取り付けられたケーシングカバーと、ケーシング内に設けた支持軸（固定軸）と、この支持軸に回転可能に支承されたポンプランナー（羽根車）と、このポンプランナーに設けた従動側円筒状マグネットとを備え、ケーシングを介して従動側円筒状マグネットと駆動側円筒状マグネットを同心円筒状に対向させた構成のものが知られている（例えば、特許文献２）。
【０００４】
【特許文献１】特開２００６−１４４６２０号公報
【特許文献２】特開２００２−３０３２８９号公報
【発明の開示】
【発明が解決しようとする課題】
【０００５】
しかしながら、上記特開２００６−１４４６２０号公報に記載された洗濯機用の自吸式ポンプ装置の構成では、シール装置が回転部に摺接されているため、そのシール装置の磨耗や熱劣化が短期間に進む可能性がある。そして、シール装置の磨耗や熱劣化が進むと、そのシール装置から水漏れが発生してしまい、その水漏れした渦巻き室内の水が、モータ部材の回転軸を伝わってモータ収納室に入り込み、ポンプケーシングから自吸式ポンプ装置が収納されている洗濯機のトップカバーなどの設置体上に流出してしまう。そのために、自吸式ポンプ装置のモータ部材周りの電気部品類にモータ収納室に入り込んだ水がかかったり、ポンプケーシングの水抜き孔から流出した水がトップカバーなどの設置体上に設置されている電気部品類にかかったりして、感電等の電気的事故をひきおこす可能性があるという問題があった。
【０００６】
一方、上記特開２００２−３０３２８９号公報に記載されたマネットポンプは、モータ本体の側面に、駆動側円筒状マグネットを覆うブラケットを直接固定し、そのブラケットにケーシング及びケーシングカバーを取り付ける構成としているために、モータ本体が常に外気に晒されているので、水滴が付きやすく、湿気の高い洗濯機のトップカバー内に収納するのには適しないという問題があった。
【０００７】
しかも、近年、洗濯機などの機器に組み込まれている自吸式ポンプ装置においては、安全性のさらなる向上を図るために、ポンプケーシング及びポンプカバー内の水が、モータ収納室内に流入してきて、ポンプケーシングから水漏れが長時間に亘って発生してしまうようなことのないものが求められている。また、洗濯機のトップカバー内には、様々な付加機能を有する電気部品類が収納されるため、より小形化された自吸式ポンプ装置が求められている。また、自吸式ポンプ装置で風呂水などの水を洗濯槽に供給する際に、発生するところの動作音などによる騒音の小さな自吸式ポンプ装置が求められている。
【０００８】
本発明は、上記背景技術の現状を鑑みてなされたもので、その目的は、ポンプケーシングのモータ収納室側への水の流入を半永久的に阻止することができ、長寿命化され、かつ、小形化され、しかも、湿気の高い環境の設置場所で使用するのに好適であって、低騒音化を可能にする自吸式ポンプ装置を提供することにある。
【課題を解決するための手段】
【０００９】
上記目的を達成するために、本考案は、モータ部材が取り付けられたポンプケーシングと、このポンプケーシングに水密的に取り付けられたポンプカバーと、このポンプカバーの内壁に取り付けられて吸込み室とポンプランナー収納室と気水分離室とに仕切るための仕切り体と、前記ポンプランナー収納室内に支持軸によって回転自在に設けたポンプランナーと、このポンプランナーを回転させることで前記吸込み室と前記ポンプランナー収納室と気水分離室とに水を吸込ませるための吸水口と、前記ポンプランナーを回転させることで前記吸込み室内及び前記ポンプランナー収納室内の水を前記ポンプカバーの外方に吐出させるための吐出口と、前記ポンプランナーに設けた従動側円筒状マグネット体と、前記モータ部材の回転軸に取り付けられた駆動側円筒状マグネット体とを少なくとも備え、前記ポンプケーシングを、前記ポンプランナー収納室に連通させてなる気水分離室と、この気水分離室に併設されて前記ポンプケーシングの反ポンプカバー側に設けた挿入開口から前記モータ部材の一部及び前記駆動側円筒状マグネット体が収納される駆動側円筒状マグネット収納室と、前記ポンプケーシングのポンプランナー収納室に対向する対向外壁に形成されて前記従動側円筒状マグネット体が収納される従動側円筒状マグネット収納室となる円筒状凹部とを形成する構成とし、前記モータ部材の回転軸に前記駆動側円筒状マグネット体が取り付けられた状態でその駆動側円筒状マグネット体を、前記駆動側円筒状マグネット収納室の前記挿入開口から前記駆動側円筒状マグネット収納室に挿入することにより前記駆動側円筒状マグネット体の駆動側円筒状マグネットを前記円筒状凹部の外周に配設させ、かつ、前記円筒状凹部内に前記従動側円筒状マグネット体の従動側円筒状マグネットを配設させることによって、前記駆動側円筒状マグネットと前記従動側円筒状マグネットを、前記ポンプケーシングの外壁を介して同心円筒状に対向させることで磁気結合させるとともに、前記支持軸に、前記ポンプランナーのスラスト方向の移動を規制する２個のスラスト受け部材を設け、かつ、前記ポンプランナーの軸体の中心に、前記支持軸に嵌合する中空円筒部と、この中空円筒部に端縁に形成した円形状鍔部とから構成されるカーボン製の軸受が圧入される構成にした自吸式ポンプ装置において、前記２個のスラスト受け部材のうち、一方のスラスト受け部材が前記ポンプケーシングの対向外壁とポンプランナーの軸体との間に位置して前記軸受の円形状鍔部に摺接し、かつ、他方のスラスト受け部材が前記仕切り体とポンプランナーの軸体との間に位置して前記中空円筒部に摺接するとともに、前記支持軸の一端側であるＤカット形状部側を、前記円筒状凹部の中央部に設けたＤカット状嵌合穴に挿入し、かつ、前記支持軸の他端側を、前記仕切り体の流入開口を通して前記ポンプカバーの内壁面に設けた筒状凹部に挿入した後、前記ポンプケーシングと前記ポンプカバーを水密的に一体化させた状態にすることで、前記ポンプケーシングと前記ポンプカバーとの間に前記支持軸を挟持固定した際、前記一方のスラスト受け部材が前記ポンプケーシングの外壁に非接触となり、かつ、前記他方のスラスト受け部材が前記ポンプカバーの内壁に非接触となる構成としたことを特徴としている。
【００１０】
さらに、本考案は、前記２個のスラスト受け部材を、少なくとも２枚からなる前記支持軸に挿入されたワッシャー群と、このワッシャー群が前記支持軸の外方への移動を止める止めリングと、この止めリングを前記支持軸に固定するために前記支持軸の外周に設けた止めリング装着溝とにより、前記ポンプランナーのスラスト方向のクリアランスを、前記ワッシャー群のうちの一枚のワッシャーの厚さ寸法よりも小さく設定されるように、前記支持軸に支持してなることを特徴としている。
【００１１】
さらに、本考案は、前記ポンプランナーを、一側面に前記従動側円筒状マグネット体を取り付ける円筒状取り付け部材を設け、かつ、他側面に中央開口を設ける構成とし、その円筒状取り付け部材に、前記止めリングを前記支持軸に装着するのに使用する止めリング装着用工具を挿入するための工具挿入開口を設けたことを特徴としている。
【発明の効果】
【００１２】
本考案によれば、ポンプケース内からモータケースのモータ収納室側への水の浸入を阻止することができて、長寿命化され、かつ、小形化されるとともに、湿気の高い環境の設置場所であっても安全に使用することができ、しかも、低騒音化が図られるところの自吸式ポンプ装置が得られる。
【発明を実施するための最良の形態】
【００１３】
以下、本は発明の実施形態を、図１〜図１４に基づき、詳説する。図１は、本発明の一実施形態に係わる自吸式ポンプ装置の要部縦断面図である。図２は、本発明の一実施形態に係わる自吸式ポンプ装置の要部外観斜視図である。図３は、本発明の一実施形態に係わる自吸式ポンプ装置の従動側円筒状マグネット体及びポンプランナーの分解した状態をポンプランナー側から見た斜視図である。図４は、本発明の一実施形態に係わる自吸式ポンプ装置の従動側円筒状マグネット体及びポンプランナーの分解した状態を従動側円筒状マグネット体側から見た斜視図である。図５は、本発明の一実施形態に係わる自吸式ポンプ装置におけるポンプカバーに仕切り体が取り付けられた状態を示す要部斜視図である。図６は、本発明の一実施形態に係わる自吸式ポンプ装置におけるポンプカバーから仕切り体及び封止ばねを取り外した状態を示す要部斜視図である。図７は、本発明の一実施形態に係わる自吸式ポンプ装置における仕切り体の渦巻き壁が設けられた側から見た要部斜視図である。図８は、本発明の一実施形態に係わる自吸式ポンプ装置における仕切り体の凹みが設けられた側から見た要部斜視図である。図９は、本発明の一実施形態に係わる自吸式ポンプ装置における従動側円筒状マグネット体及びポンプランナーの部組状態での平面図である。図１０は、本発明の一実施形態に係わる自吸式ポンプ装置における従動側円筒状マグネット体及びポンプランナーの部組状態での要部断面図である。図１１は、本発明の一実施形態に係わる自吸式ポンプ装置のポンプランナー及び従動側円筒状マグネット体の分解要部斜視図である。図１２は、本発明の一実施形態に係わる自吸式ポンプ装置の駆動側円筒状マグネット体の分解要部斜視図である。図１３は、本発明の一実施形態に係わる自吸式ポンプ装置の支持軸に止めリングを取り付ける際のポンプランナーの円筒状取り付け部材に設けた工具挿入開口と止めリング装着用工具との関係を示す図である。図１４は、本発明の一実施形態に係わる自吸式ポンプ装置の支持軸に止めリングを取り付ける際のポンプランナーと止めリング装着用工具との関係を示す図である。
【００１４】
図1〜図２に示す本発明の一実施形態に係わる自吸式ポンプ装置１は、モータ部材２が取り付けられたポンプケーシング３と、このポンプケーシング３に水密的に取り付けられたポンプカバー４と、このポンプカバー４の内壁に取り付けられて吸込み室５とポンプランナー収納室６と気水分離室７とに仕切るための仕切り体８と、ポンプランナー収納室６内に支持軸９によって回転自在に設けたクローズブレード方式のポンプランナー１０と、このポンプランナー１０を回転させることで吸込み室５とポンプランナー収納室６と気水分離室７内に水を吸込ませるための吸水口１１と、ポンプランナー１０を回転させることで吸込み室５とポンプランナー収納室６と気水分離室７内の水をポンプカバー４の外方に吐出させるための吐出口１２と、吸込み室５とポンプランナー収納室６と気水分離室７内に呼び水を注入するための呼び水口１３と、吸込み室５から吸水口１１側への水の逆流を阻止する逆流防止弁１４と、ポンプランナー１０に一体に設けた従動側円筒状マグネット体１５と、モータ部材２の後述する回転軸２０Ａに取り付けられた駆動側円筒状マグネット体１６を、少なくとも備えている。なお、ここで、気水分離室７とは、ポンプカバー４側内の仕切り体８外周に形成される第1気水分離室７Ａと、ポンプケーシング３側内に形成される第２気水分離室７Ｂとからなるものであって、ポンプケーシング３とポンプカバー４が水密的に固定されることで、第1気水分離室７Ａと第２気水分離室７Ｂが連結されることにより構成されるものとする。
【００１５】
ポンプケーシング３は、合成樹脂からなり、図1に示すように、ポンプカバー４側内の仕切り体８外周に形成される第1気水分離室７Ａに連結される第２気水分離室７Ｂと、この第２気水分離室７Ｂに併設されてポンプケーシング３の反ポンプカバー側に設けたモータ挿入開口３Ａからモータ部材２の一部及び駆動側円筒状マグネット体１６が収納される駆動側円筒状マグネット収納室１７と、ポンプケーシング３のポンプランナー収納室６に対向する外壁（以下、対向外壁と称する。）に形成されて従動側円筒状マグネット体１５が収納される従動側円筒状マグネット収納室１８となる円筒状凹部３Ｂとが、一体的に形成されている。第２気水分離室７Ｂは、駆動側円筒状マグネット収納室１７の外周に併設され、かつ、モータ部材２の後述する回転軸２０Ａの軸方向（長手方向）に長く延びる形状としてある。ポンプケーシング３は、図２に示すように、外郭形状を略箱状としてある。第２気水分離室７Ｂの内壁には、気水分離板７Ｂ−１が設けられている。ポンプケーシング３には、図１に示すように、駆動側円筒状マグネット収納室１７で発生した結露水をポンプケーシング３の外部に流出させるための結露用流出口３Kが設けられている。
【００１６】
モータ部材２は、図１及び図２に示すように、円筒状のモータケース１９と、このモータケース１９内に収納支持されたモータ本体２０と、モータケース１９の後述するモータ本体挿入開口１９Ｂに装着した合成樹脂製のモータキャップ２１と、モータケース１９の外周に一体的に設けられた複数個の取り付け片２２を有する構成としてある。モータ部材２は、モータケース１９の一部を駆動側円筒状マグネット収納室１７内に挿入した状態で、取り付け片２２をポンプケーシング３の反ポンプカバー側外壁面３Ｃに固定することにより、ポンプケーシング３に取り付けられる。本実施形態例では、モータケース１９の約半分を、駆動側円筒状マグネット収納室１７内に挿入するようにしている。モータケース１９及び複数個の取り付け片２２は、合成樹脂によって、一体成形される。
【００１７】
モータ部材２のモータケース１９は、モータ本体２０が挿入される有底筒状のモータ挿入円筒部１９Ａと、このモータ挿入円筒部１９Ａにモータ本体２０を挿入するためのモータ本体挿入開口１９Ｂと、モータ本体２０の回転軸２０Ａをポンプケーシング３の駆動側円筒状マグネット収納室１７内に位置させるための貫通孔１９Ｃとからなっている。モータ部材２のモータケース１９は、取り付け片２２の取り付け穴２２Ａに嵌合させた螺子２３を、ポンプケーシング３に設けた螺子穴３Ｄに螺着させることにより、ポンプケーシング３に固定される。本実施形態例では、モータケース１９の外円周上に３個の取り付け片２２が設けられている。
【００１８】
モータ部材２のモータ本体２０は、外郭形状を円筒状とした小形のブラシレスモータとしてある。モータ本体２０は、２８Ｖ以下のＤＣ電圧で約７０００ｒ／分の回転数が得られるように設定されている。ポンプランナー１０の最外径は、約２６mmに設定されている。ポンプケーシング３の円筒状凹部３Ｂの隔壁部分の厚さは、約１ｍｍとしてある。
【００１９】
モータケース１９のモータ本体挿入開口１９Ｂには、図１に示すように、モータ本体２０の軸方向のがたつきを押さえるモータパッキング２４を介してモータキャップ２１が装着されている。モータケース１９のモータ本体挿入開口１９Ｂとモータキャップ２１との間からは、モータ本体２０に接続されたリード線からなる電気的接続体２５が、モータケース１９の外方に引き出される。なお、電気的接続体２５は、接続端子とするようにすることも可能である。
【００２０】
ポンプカバー４は、ポンプランナー１０を回転させることでポンプカバー４に水を吸込ませるための吸水口１１と、ポンプランナー１０を回転させることで吸込み室５内及びポンプランナー収納室６内の水を吐出させるための吐出口１２と、吸込み室５内及びポンプランナー収納室６内に呼び水を注入するための呼び水口１３と、吸込み室５から前記吸水口１１側への逆流を阻止するところの後述する逆流防止弁１４の封止弁座４Ａと、後述する逆流防止弁１４の取り付け片部１４Ｂが嵌合する取り付け凹部４Ｂと、仕切り板８をポンプカバー４内壁に取り付けるための棒状の係止突起体４Ｃと、ポンプカバー４内壁に設けられてパッキングなどの弾性封止部材２６を介して仕切り板８に設けた凹み８Ｇに押圧されるループ状の凸状リブ４Ｄと、支持軸９の他端側９Ｂが嵌合する筒状凹部４Ｅと、ポンプケーシング３のポンプカバー側端縁全周に形成された取り付けフランジ３Ｅに水密的に取り付けられる取り付けフランジ４Ｆが、合成樹脂で一体成形されている。吸水口１１から封止弁座４Ａまでの水通路部４Ｇの破断面（切断端面）形状は、横長楕円状としてある。封止弁座４Ａは、水通路部４Ｇの破断面（切断端面）形状に合わせて横長楕円状としてある。封止弁座４Ａは、その封止弁座４Ａの横長方向が、モータ部材２の回転軸２０Ａの軸方向（長手方向）に対して直角方向であって水平に延びるように配設されている。
【００２１】
ポンプカバー４の上面部分には、図２に示すように、吸水口１１、吐出口１２及び呼び水口１３が配設されている。ポンプカバー４の吐出口１２及び呼び水口１３は、図２に示すように、水平方向（モータ本体２０の回転軸２０Ａに軸方向と水平の方向）に延在させるように形成されている。ポンプカバー４の上面に形成された吸水口１１には、その開口端に円筒状の取り付けフランジ１１Ａが形成されている。ポンプカバー４の吸水口１１には、図１の一点鎖線で示すように、取り付けフランジ１１Ａを利用して、揚水用の可撓性のある吸水ホース２７が着脱可能に取り付けられる。吸水ホース２７の自由端側は、浴槽（図示せず）内に投入されている。ポンプカバー４内の吸水口１１の内方には、図１に示すように、風呂水に含まれている細塵を除去するフイルター２８が着脱自在に設けられている。ポンプカバー４側内の仕切り体８外周に形成される第1気水分離室７Ａには、図５及び図６に示すように、複数個の気水分離板７Ａ−１が設けられている。
【００２２】
仕切り体８は、封止弁座４Ａに対向する位置に形成された逆流防止弁１４の開閉ストローク確保用の袋部８Ａと、この袋部８Ａの内壁に設けた２個の封止ばね受け凹部８Ｂと、ポンプケーシング３の対向外壁に圧接する渦巻き壁８Ｃと、ポンプカバー４内壁に設けた係止突起体４Ｃに係合することで仕切り板８をポンプカバー４内壁に取り付けるための嵌合突起溝部８Ｄと、後述する逆流防止弁１４の取り付け片部１４Ｂをポンプカバー４の取り付け凹部４Ｂに押圧するための押圧リブ８Ｅと、ポンプランナー１０の中央開口１０Ａに対向する位置に形成された略ベルマウス状の流入開口８Ｆと、ポンプカバー４内壁に設けた凸状リブ４Ｄが弾性封止部材２６を介して押圧されるループ状の凹み８Ｇが、合成樹脂で一体成形されている（図５〜図８を参照）。
【００２３】
仕切り体８の袋部８Ａ及び渦巻き壁８Ｃは、図1に示すように、逆流防止弁１４及びポンプカバー４に形成された封止弁座４Ａが、仕切り体８の流入開口８Ｆと吸込み室５との境界部位から外周方向へ延びる延長線近傍であって、かつ、ポンプランナー収納室６内の外周に配置されるように、形成されている。仕切り体８の袋部８Ａの内壁に設けた２個の封止ばね受け凹部８Ｂ内には、図６及び図８に示すように、それぞれ十字状の傾斜突起８Ｂ−１が形成されている。後述する封止ばね２９の一端を逆流防止弁１４の筒状突起部１４Ｃに嵌合させ、かつ、その封止ばね２９の他端を仕切り体８の封止ばね受け凹部８Ｂに嵌合させた状態では、図１に示すように、一直線状に均等に圧縮されるべく、傾斜突起８Ｂ−１の上面と筒状突起部１４Ｃの内底面が略平行となるように設定されている。
【００２４】
逆流防止弁１４は、ゴム製であって、図６に示すように、横長楕円状の弁体部１４Ａと、この弁体部１４Ａに上部に一体的に形成された取り付け片部１４Ｂと、弁体部１４Ａの反封止弁座側の面に一体的に形成された２個の筒状突起部１４Ｃとからなっている。仕切り体８と逆流防止弁１４との間には、図１に示すように、その逆流防止弁１４をポンプカバー４内に形成された封止弁座４Ａに押し付ける２個の封止ばね２９が設けられている。封止ばね２９は、ポンプランナー１０の回転時にそのポンプランナー１０の回転により発生した負圧によって逆流防止弁１４の弁体部１４Ａが封止弁座４Ａから離れることで逆流防止弁１４が開いた状態となり、かつ、ポンプランナー１０の停止時に逆流防止弁１４の弁体部１４Ａが封止弁座４Ａに押し付けられることで逆流防止弁１４が閉じた状態にする押圧力を、逆流防止弁１４に働かせる機能を有している。封止ばね２９は、コイル状であって、その封止ばね２９の一端側を逆流防止弁１４の筒状突起部１４Ｃに、かつ、封止ばね２９の他端側を仕切り体８の封止ばね受け凹部８Ｂ内に装着した状態で、仕切り体８の上端に設けた嵌合突起溝部８Ｄを、ポンプカバー４の内壁に設けた係止突起体４Ｃに一体化することによって、仕切り体８をポンプカバー４の内壁に取り付けることにより、図１に示すように、仕切り体８と逆流防止弁１４との間に保持される。なお、逆流防止弁１４は、その逆流防止弁１４の横長方向が、モータ部材２の回転軸２０Ａの軸方向（長手方向）に対して直角方向であって水平に延びるように配設されている。
【００２５】
ポンプカバー４と仕切り体８とは、図１に示すように、ポンプカバー４内壁に設けた凸状リブ４Ｄに仕切り体８の側壁に設けた凹み８Ｇ(図６参照)に、弾性封止部材２６を介して押圧させることによって、水密的に保持される。ポンプケーシング３とポンプカバー４は、ポンプケーシング３の取り付けフランジ３Ｅの端面全周に設けた溶着用リブ３Ｆを、ポンプカバー４の取り付けフランジ４Ｆの端面全周に設けた溶着用溝４Ｈに嵌合した後、その溶着用溝４Ｈの全周に予め挿入したステンレス線４１に電気を流すことで溶着用リブ３Ｆを溶着用溝４Ｈ内で熱溶着させることにより、一体的に取り付けられる。なお、ポンプケーシング３の取り付けフランジ３Ｅとポンプカバー４の取り付けフランジ４Ｆとを、リング状のパッキング部材を介して複数個の螺子で締結することにより、若しくは超音波溶着により、ポンプケーシング３とポンプカバー４は一体化されるようにしてもよい。
【００２６】
ポンプランナー収納室６は、ポンプケーシング３の外壁に設けた渦巻き状嵌合溝３Ｇと、この渦巻き状嵌合溝３Ｇに圧入されるところの仕切り体８に形成した渦巻き壁８Ｃとによって、形成される。ポンプランナー収納室６には、図１に示すように、モータ本体の回転軸の長手方向と同方向に延びる支持軸９によってポンプランナー１０が回転可能に設けられている。支持軸９は、一端側であるDカット形状部９Ａをポンプケーシング３の外壁に設けたＤカット状嵌合穴３Ｈに挿入し、かつ、他端側９Ｂ（Dカット形状部を形成しない側）を、仕切り体８の流入開口８Ｆを通してポンプカバー４の内壁に設けた筒状凹部４Ｅに挿入した後、ポンプケーシング３とポンプカバー４を水密的に一体保持された状態にすることにより、ポンプケーシング３とポンプカバー４との間に回動不可の状態で挟持固定される（図1参照）。ポンプケーシング３には、Ｄカット状嵌合穴３Ｈを形成するために、そのポンプケーシング３の駆動側円筒状マグネット収納室側に向って突出させた突出円筒部３Ｊが形成されている。この突出円筒部３Ｊは、図１に示すように、モータ本体２０の回転軸２０Ａと対向するように配設されている。Ｄカット状嵌合穴３Ｈは、突出円筒部３Ｊの中央部に形成されている。
【００２７】
ポンプランナー１０の軸体１０Ｂの中心に圧入されるカーボン製の軸受３０は、図４に示すように、支持軸９に嵌合する中空円筒部３０Ａと、この中空円筒部３０Ａに端縁に形成した円形状鍔部３０Ｂとから構成される。支持軸９には、図１に示すようにポンプランナー１０のスラスト方向の移動を規制する２個のスラスト受け部材３１、３２が設けられている。２個のスラスト受け部材３１、３２のうち、一方のスラスト受け部材３１（以下、第１スラスト受け部材３１と称する）は、ポンプケーシングの対向外壁とポンプランナー１０の軸体１０Ｂとの間に位置して軸受３０の円形状鍔部３０Ｂに摺接するように、かつ、他方のスラスト受け部材３２（以下、第２スラスト受け部材３２と称する）は、仕切り体８とポンプランナー１０の軸体１０Ｂとの間に位置して中空円筒部３０Ａに摺接するようにしてある。
【００２８】
第１スラスト受け部材３１と第２スラスト受け部材３２は、それぞれ、支持軸９に挿入されたワッシャー群３３と、このワッシャー群３３が支持軸９の外方への移動を止める止めリング３３Ａとからなっている。ワッシャー群３３は、２枚以上のワッシャーからなり、本実施形態例では、図３及び図４に示すように、３枚のワッシャーからなっている。それらワッシャーは、厚み寸法を０．３５ｍｍとしたものが用いられている。支持軸９の外周には、この止めリング３３Ａを支持軸９に嵌合固定するための２個の止めリング装着溝９Ｃ、９Ｄが設けられている。ポンプランナー１０は、そのポンプランナー１０のスラスト方向のクリアランスが、ワッシャー群３３のうちの一枚のワッシャーの厚さ寸法よりも小さく設定されるように、支持軸９に取り付けられる。支持軸９にポンプランナー１０を回転自在に取り付けられた状態では、支持軸９に取り付けた止めリング３３Ａ及び２枚以上のワッシャー３３により、ポンプランナー１０のスラスト方向のクリアランスが、約０．３ｍｍとなるように設定されている。また、ポンプランナー１０の中心に圧入された軸受３０の内径と、支持軸９の外周径とのクリアランスは、最大０．２ｍｍとなるように設定されている。止めリング装着溝９Ｃ、９Ｄ止めリング３３Ａとしては、ＥリングやＣリングなどが用いられる。本実施形態例では、止めリング３３ＡをＥリングとし、かつ、止めリング装着溝９Ｃ、９ＤをＥリング溝としてある。なお、第２スラスト受け部材３２の外径は、ポンプランナー１０の中央開口１０Aの内径や仕切り体８の流入開口８Fの内径よりも小さく設定されている。
【００２９】
従動側円筒状マグネット体１５は、図１１に示すように、ポンプランナー１０の側面に一体的に設けられた合成樹脂製の円筒状取り付け部材３４と、この円筒状取り付け部材３４の外周壁に嵌めた等方性若しくは異方性のフェライトからなる円筒状の従動側円筒状マグネット３５とからなり、円筒状取り付け部材３４に複数個の弾性爪部３４Ａを、かつ、従動側円筒状マグネット３５に複数個の係止凹部３５Ａを、それぞれ形成して、弾性爪部３４Ａを係止凹部３５Ａに係止させることで、従動側円筒状マグネット３５を円筒状取り付け部材３４の外周壁に取り付けられる構成にしてある。従動側円筒状マグネット３５は、弾性爪部３４Ａによって、円筒状取り付け部材３４の周方向及び左右方向に移動することがないように、円筒状取り付け部材３４に取り付けられる。弾性爪部３４Ａは、円筒状取り付け部材３４にスリットを入れることによって形成される。ポンプランナーの円筒状取り付け部材には、止めリング３３Ａを支持軸に装着するための止めリング装着用工具４０を挿入するための工具挿入開口３４Ｂが複数個設けられている。
【００３０】
円筒状取り付け部材３４と従動側円筒状マグネット３５は、従動側円筒状マグネット３５の内周を円筒状取り付け部材３４の外周に嵌め込ませて弾性爪部３４Ａを内方に撓ませた状態とした後、その弾性爪部３４Ａが従動側円筒状マグネット３５の係止凹部３５Ａに達するまで、従動側円筒状マグネット３５を円筒状取り付け部材３４に押し込むと、弾性爪部３４Ａが外方に広がって係止凹部３５Ａに係止することで、取り付けられる。なお、円筒状取り付け部材３４の外側と従動側円筒状マグネット３５の内側の間を、接着剤により、補強固着するようにしてもよい。
【００３１】
駆動側円筒状マグネット体１６は、図１２に示すように、合成樹脂製の円筒容器状収納ケース３６と、この円筒容器状収納ケースの底中央部に形成されてモータ本体の回転軸に圧入固定される合成樹脂製の中空ボス部３７と、この中空ボス部３７の外周に圧入された金属製の抜け止め筒部材３８と、円筒容器状収納ケース３６の内周壁に嵌めた等方性若しくは異方性のフェライトからなる円筒状の駆動側円筒状マグネット３９とからなり、円筒容器状収納ケース３６に複数個の弾性爪部３６Ａを、かつ、駆動側円筒状マグネット３９に複数個の係止凹部３９Ａを、それぞれ形成して、弾性爪部３６Ａを係止凹部３９Ａに係止させることで、駆動側円筒状マグネット３９を円筒容器状収納ケース３６の内周壁に取り付けられる構成にしてある。駆動側円筒状マグネット３９は、弾性爪部３６Ａによって、円筒容器状収納ケース３６の周方向及び左右方向に移動することがないように、円筒容器状収納ケース３６に取り付けられる。弾性爪部３６Ａは、円筒容器状収納ケース３６にスリットを入れることによって形成される。また、抜け止め筒部材３８の外周には、図１に示すように、駆動側円筒状マグネット収納室１７で発生した結露水をモータケース１９の貫通孔１９Ｃ内に浸入するのを阻止するための水切り部材４２が設けられている。
【００３２】
円筒容器状収納ケース３６と駆動側円筒状マグネット３９は、円筒容器状収納ケース３６の内周を駆動側円筒状マグネット３９の外周に嵌め込ませて弾性爪部３６Ａを外方に撓ませた状態とした後、その弾性爪部３６Ａが駆動側円筒状マグネット３９の係止凹部３９Ａに達するまで、円筒容器状収納ケース３６を駆動側円筒状マグネット３９に押し込むと、弾性爪部３６Ａが内方に縮まって係止凹部３９Ａに係止することで、取り付けられる。円筒容器状収納ケース３６には、弾性爪部３６Ａの型抜きが容易に行えるようにするための、型抜き孔３６Ｂが形成されている。なお、円筒容器状収納ケース３６の内側と駆動側円筒状マグネット３９の外側の間を、接着剤により、補強固着するようにしてもよい。
【００３３】
モータ本体２０の回転軸２０Ａに固定された駆動側円筒状マグネット体１６が、ポンプケーシング３の円筒状凹部３Ｂの外方に配設された状態では、その駆動側円筒状マグネット体１６の駆動側円筒状マグネット３９の内周面と円筒状凹部３Ｂの外周面との間に隙間が保持されるように、駆動側円筒状マグネット体１６及び円筒状凹部３Ｂの大きさが設定されている。駆動側円筒状マグネット１６の内周面と円筒状凹部３Ｂの外周面との間の隙間は、最大１ｍｍとし、本実施形態例では、約０．５ｍｍとしてある。
【００３４】
支持軸９にポンプランナー１０が取り付けられ、かつ、従動側円筒状マグネット体１５がポンプケーシング３の円筒状凹部３Ｂの内方に配設された状態では、その従動側円筒状マグネット体１５の従動側円筒状マグネット３５の外周面と円筒状凹部３Ｂの内周面との間に隙間が保持されるように、従動側円筒状マグネット体１５及び円筒状凹部３Ｂの大きさが設定されている。従動側円筒状マグネット３５の外周面と円筒状凹部３Ｂの内周面との間の隙間は、最大１ｍｍとし、本実施形態例では、約０．５ｍｍとしてある。支持軸９の一端側であるDカット形状部９Ａ側は、円筒状凹部３Ｂ内の中央部に位置するＤカット状嵌合穴３Ｈに嵌合されている。支持軸９の他端側９Ｂは、仕切り体８の流入開口８Ｆを通してポンプカバー４の内壁に形成した筒状凹部４Ｅに嵌合されている。
【００３５】
支持軸９の一端側であるＤカット形状部９Ａ側を、円筒状凹部３Ｂの中央部に設けたＤカット状嵌合穴３Ｈに挿入し、かつ、支持軸９の他端側９Ｂを、仕切り体８の流入開口８Ｆを通してポンプカバー４の内壁面に設けた筒状凹部４Ｅに挿入した後、ポンプケーシング３とポンプカバー４を水密的に一体化させることで、ポンプケーシング３とポンプカバー４との間に支持軸９を挟持固定した際は、第１スラスト受け部材３１がポンプケーシング３の外壁に非接触となり、かつ、第２スラスト受け部材３２がポンプカバー４の内壁に非接触となるように、ポンプランナー１０のスラスト方向のクリアランスが設定されている。
【００３６】
駆動側円筒状マグネット３９と従動側円筒状マグネット３５は、モータ部材２におけるモータ本体２０の回転軸２０Ａに駆動側円筒状マグネット体１６が取り付けられた状態でその駆動側円筒状マグネット体１６は、ポンプケーシング３の反ポンプカバー側に設けたモータ挿入開口３Ａから駆動側円筒状マグネット収納室１７に挿入することによりその駆動側円筒状マグネット体１６の駆動側円筒状マグネット３９をポンプケーシング３の円筒状凹部３Ｂの外周に配設させ、かつ、その円筒状凹部３Ｂ内に従動側円筒状マグネット体１５の従動側円筒状マグネット３５を配設させることで、ポンプケーシング３の外壁を介して同心円筒状に対向させることにより、磁気結合させる。
【００３７】
上記実施形態の自吸式ポンプ装置１を使用する場合には、始めに、吸水ホース２７をポンプカバー４の吸水口１１に装着した後、呼び水口１３から仕切り体８によって仕切られる吸込み室５及びポンプランナー収納室６並びに気水分離室７に、呼び水Ｗを注入する。
【００３８】
次いで、自吸式ポンプ装置１の内部に、呼び水Ｗが注入された状態で、モータ本体２０を回転させて、モータ本体２０の回転軸２０Ａに設けた駆動側円筒状マグネット体１６を回転させると、ポンプランナー１０と一体に設けた従動側円筒状マグネット体１５が、駆動側円筒状マグネット体１６の駆動側円筒状マグネット３９の磁力で吸引されて同期回転するため、ポンプランナー１０が高速で回転して、ポンプランナー１０の中心は負圧となる。なお、この場合、支持軸９は、一端側であるDカット形状部９Ａがポンプケーシング３の外壁に設けたＤカット状嵌合穴３Ｈに挿入されているので、回転することがない。
【００３９】
そして、ポンプランナー１０の中心が負圧になると、この負圧に引かれて吸水ホース２７内の空気が、ポンプランナー１０側に吸込まれて、呼び水Ｗと気水混合された状態となり、ポンプランナー収納室６を高速で通過し、気水分離室７へと導かれる。この場合、ポンプランナー収納室６の狭い空間を高速で通過した空気を含んだ呼び水Ｗは、広い空間の気水分離室７に導かれて流速が低下する。そのため、呼び水Ｗに混合された空気は、その呼び水Ｗから分離してポンプカバー４の吐出口１２及び呼び水口１３から排出される。そして、吸水ホース２７内の空気が完全に排出されると、ポンプカバー４の吸水口１１より揚水された水が、吸込み室５を介してポンプランナー収納室６から気水分離室７に流入して、吐出口１２及び呼び水口１３から、所定の流量で吐出されるようになる。
【００４０】
次に、上記実施形態の自吸式ポンプ装置１の組立手順を、詳説する。
【００４１】
まず、モータ本体２０をモータケース１９のモータ本体挿入開口１９Ｂからモータケース１９内に挿入して、そのモータ本体２０の回転軸２０Ａがモータケース１９の貫通孔１９Ｃから外方に突出した状態となるように、かつ、モータケース１９内でモータ本体２０が回動しないように、モータケース１９内にモータ本体２０を固定する。この場合、複数個の小螺子（図示せず）でモータケース１９にモータ本体２０を取り付けるようにしてもよい。
【００４２】
次いで、モータケース１９の貫通孔１９Ｃから外方に突出した回転軸２０Ａを上に向けた状態で、その回転軸２０Ａに駆動側円筒状マグネット体１６を構成する中空ボス部３７を圧入固定することにより、モータ部材２に駆動側円筒状マグネット体１６が取り付けられる。その後、モータパッキング２４及びモータキャップ２１を、モータケース１９のモータ本体挿入開口１９Ｂに、かつ、電気的接続体２５がモータケース１９の外に引き出されるように、装着することによって、モータ部材２及び駆動側円筒状マグネット体１６の組み立て作業を完了させる。なお、この場合、モータ本体２０の回転軸２０Ａに駆動側円筒状マグネット体１６の中空ボス部３７を圧入した場合に、その中空ボス部３７が金属製の抜け止め筒部材３８によって広がることがないので、モータ本体２０の回転軸２０Ａと中空ボス部３７との固定が確実に行われる。
【００４３】
次いで、モータ部材２に取り付けられた駆動側円筒状マグネット体１６を、ポンプケーシング３の駆動側円筒状マグネット収納室１７に、ポンプケーシング３のモータ挿入開口３Ａから挿入して、駆動側円筒状マグネット体１６の駆動側円筒状マグネット３９をポンプケーシング３の円筒状凹部３Ｂの外周方向に配設させる。この状態では、モータケース１９の略半分が駆動側円筒状マグネット収納室１７に挿入されて、モータケース１９の外周に設けられた複数個の取り付け片２２を、ポンプケーシング３の反ポンプカバー側外壁面３Ｃに当接させて、その取り付け片２２を螺子２３でポンプケーシング３の反ポンプカバー側外壁面３Ｃに固定することにより、ポンプケーシング３にモータ部材２が取り付けられる。
【００４４】
次いで、図９及び図１０に示すように、予めポンプランナー１０に従動側円筒状マグネット体１５及び支持軸９が組み立てられた状態で、その支持軸９のDカット形状部９Ａ側を、ポンプケーシング３のＤカット状嵌合穴３Ｈに嵌合させることによって、従動側円筒状マグネット体１５の従動側円筒状マグネット３４を、ポンプケーシング３のポンプランナー収納室６に対向する対向壁面に設けた円筒状凹部３Ｂ内に配設される。これにより、従動側円筒状マグネット３５が駆動側円筒状マグネット３９と対向した状態となる。この場合、駆動側円筒状マグネット３９と従動側円筒状マグネット３５との間の磁気吸引作用により、従動側円筒状マグネット体１５が従動側円筒状マグネット収納室１８（円筒状凹部３Ｂ）内に収納された状態が維持されるので、ポンプケーシング３の外壁側にポンプランナー１０が取り付けられた状態が維持される。
【００４５】
次いで、ポンプカバー４の取り付け凹部４Ｂに逆流防止弁１４の取り付け片部１４Ｂを圧入した後、その逆流防止弁１４における弁体部１４Ａの筒状突起部１４Ｃと仕切り体８の封止ばね受け凹部８Ｂとに封止ばね２９を装着した状態で、ポンプカバー４の内壁に設けた凸状リブ４Ｄに、弾性封止部材２６を介して仕切り体８の側壁に設けた凹み８Ｇを押圧させ、その後、ポンプカバー４の内壁に設けた円柱状の係止突起体４Ｃに、仕切り体８の上端側に設けた嵌合突起溝部８Ｄを挿入した状態で、その係止突起体４Ｃを嵌合突起溝部８Ｄにカシメ若しくは溶着させることにより、ポンプカバー４の内壁側に仕切り体８を一体的に取り付ける。
【００４６】
次いで、支持軸９の他端側９Ｂを、仕切り体８の流入開口８Ｆを通してポンプカバー４の筒状凹部４Ｅに嵌合させつつ、ポンプケーシング３の外壁に設けた渦巻き状嵌合溝３Ｇに、仕切り体８に形成した渦巻き壁８Ｃを嵌合されることで、ポンプランナー収納室６を形成する。なお、この場合、支持軸９を仕切り体８の流入開口８Ｆを通してポンプカバー４の筒状凹部４Ｅに嵌合させる作業は、支持軸９のDカット形状が形成されていない他端側９Ｂを筒状凹部４Ｅに嵌めるようにしたので、その作業を円滑に行うことができる。
【００４７】
最後に、ポンプケーシング３の取り付けフランジ３Ｅとポンプカバー４の取り付けフランジ４Ｆを、そのポンプカバー４の溶着用溝４Ｈの全周に予め挿入したステンレス線４１に電気を通電することによって熱溶着させる若しくはリング状のパッキング部材を介して複数本の螺子で締結させることで、ポンプケーシング３とポンプカバー４が水密的に一体化されることにより、自吸式ポンプ装置１の組立作業が終了する。なお、上記実施形態の組立手順におけるポンプカバー４の内壁側に仕切り体８を一体的に取り付ける工程は、それ以前の工程の実施前に、実施するようにしてよい。
【００４８】
次に、上記実施形態のポンプランナー１０と従動側円筒状マグネット体１５を、１つの部組とする組立手順を、詳説する。
【００４９】
まず、支持軸９の止めリング装着溝９Ｄに第２スラスト受け部材３２側の止めリング３３Ａに装着した後、支持軸９のDカット形状部９Ａ側から３枚のワッシャーからなる第２スラスト受け部材３２側のワッシャー群３３を、支持軸９に嵌め込み、そのワッシャー群３３を止めリング装着溝９Ｄの位置まで移動させる。
【００５０】
次いで、ポンプランナー１０の軸体１０Ｂに軸受３０を圧入した後、その軸受３０にポンプランナー１０の中央開口１０Ａから第２スラスト受け部材３２を装着してなる支持軸９を、その支持軸９のDカット形状部９Ａ側から挿入することにより、支持軸９の止めリング装着溝９Ｃの位置を円筒状取り付け部材３４の工具挿入開口３４Ｂに臨む位置まで移動させる。
【００５１】
次いで、軸受３０に挿入した状態の支持軸９に、その支持軸９のDカット形状部９Ａ側から３枚のワッシャーからなる第１スラスト受け部材３１側のワッシャー群３３を、支持軸９に嵌め込み、そのワッシャー群３３を軸受３０の円形状鍔部３０Bに接する位置まで移動させる。
【００５２】
次いで、第１スラスト受け部材３１側の止めリング３３Ａを、円筒状取り付け部材３４の工具挿入開口３４Ｂより、止めリング装着用工具４０を用いて、支持軸９の止めリング装着溝９Ｃに装着する（図１３及び図１４を参照）。
【００５３】
最後に、ポンプランナー１０の円筒状取り付け部材３４の外周に、従動側円筒状マグネット体１５を挿入して、従動側円筒状マグネット体１５の従動側円筒状マグネット３５に設けた係止凹部３５Ａに、円筒状取り付け部材３４に設けた弾性爪部３４Ａを係止させることにより、ポンプランナー１０と従動側円筒状マグネット体１５を、１つの部組（図９及び図１０を参照）とする組立作業が終了する。なお、ポンプランナー１０と従動側円筒状マグネット体１５を１つの部組とする上記実施形態の組立手順では、従動側円筒状マグネット体１５をポンプランナー１０の円筒状取り付け部材３４に取り付けるようにしているが、支持軸９をポンプランナー１０の軸受３０を挿入する以前に、予め、従動側円筒状マグネット体１５をポンプランナー１０の円筒状取り付け部材３４に取り付けた後に、支持軸９をポンプランナー１０に取り付けるようにしてもよい。また、予め、ポンプランナー１０の軸体１０Ｂに軸受３０を圧入してから、そのポンプランナー１０に支持軸９を取り付けるようにしてもよい。
【００５４】
上記実施形態の自吸式ポンプ装置１の組立手順によれば、一つとしては、駆動側円筒状マグネット３９をポンプケーシング３の円筒状凹部３Ｂの外周方向に配設させた状態で、円筒状凹部３Ｂ内に従動側円筒状マグネット３５が配設されるので、その従動側円筒状マグネット３５と駆動側円筒状マグネット３６が吸引し合うため、円筒状凹部３Ｂ内（従動側円筒状マグネット収納室１８）への従動側円筒状マグネット体１５の装着作業が円滑に行われる。二つとしては、モータケース１９の貫通孔１９Ｃから外方に突出した回転軸２０Ａに駆動側円筒状マグネット体１６を構成する中空ボス部３７を圧入固定することにより、モータ部材２に駆動側円筒状マグネット体１６を取り付けるようにしたので、駆動側円筒状マグネット３９の内周面と円筒状凹部３Ｂの外周面との間の隙間を所定寸法に、精度良く出すことができる。三つとしては、ポンプカバー４の内壁に取り付けられた仕切り体８によって封止ばね２９が、ポンプカバー４と仕切り体８との間に挟持された状態が維持されているので、ポンプケーシング３とポンプカバー４を一体化させる作業が円滑に行われる。四つとして、モータ部材２を一体化したポンプケーシング３の円筒状凹部３Ｂが上に向くように、ポンプケーシング３をセットした状態とすることにより、ポンプランナー１０と従動側円筒状マグネット体１５の部組、ポンプカバー４の順で、ポンプケーシング３上に組み上げることができるなどの理由で、すべての部品の組立作業を、流れ作業で円滑に難なく行うことができ、自吸式ポンプ装置１の生産性を向上させることができる。
【００５５】
さらに、上記実施形態の自吸式ポンプ装置１によれば、モータ本体２０を回転させると、ポンプケーシング３の駆動側円筒状マグネット収納室１７内で、駆動側円筒状マグネット体１６の駆動側円筒状マグネット３９が高速回転する。駆動側円筒状マグネット体１６の駆動側円筒状マグネット３９が高速回転すると、従動側円筒状マグネット体１５を設けたポンプランナー１０が高速回転して、吸水口１１からポンプカバー４内に揚水した水を吐出口１２から効率よく吐出させることができる。この場合、ポンプカバー４内の水が、ポンプケーシング３の外壁により遮断されて、駆動側円筒状マグネット収納室１７側に浸入することがないので、モータ本体２０及びモータ本体２０の周りの電気部品を水で濡らすことがないとともに、吸水口１１からポンプカバー４内に揚水した水がポンプケーシング３及びポンプカバー４から外部に流出して、自吸式ポンプ装置１の周囲に一緒に設置されている電気部品を濡らしてしまうようなことがなくなるので、安全性が高く、かつ、長寿命化が図られる。しかも、上記自吸式ポンプ装置１によれば、駆動側円筒状マグネット３９と従動側円筒状マグネット３５を磁気結合させる構造であっても、縦寸法約１２０ｍｍ×横寸法約５６ｍｍ×高さ約９１ｍｍという小形化された外郭形状とすることが可能であり、かつ、小形化されても、揚程約１．２ｍのときに、吐出流量１０リットル／分というポンプ性能が得られる。また、上記自吸式ポンプ装置１によれば、全体重量を、３３０ｇ以下にすることができる。
【００５６】
さらに、上記実施形態の自吸式ポンプ装置１によれば、第１スラスト受け部材３１がポンプケーシング３の対向外壁とポンプランナー１０の軸体１０Ｂとの間に位置して軸受３０の円形状鍔部３０Ｂに摺接し、かつ、第２スラスト受け部材３２が仕切り体８とポンプランナー１０の軸体１０Ｂとの間に位置して中空円筒部３０Ａに摺接するとともに、ポンプケーシング３とポンプカバー４との間に支持軸９を挟持固定した際、第１スラスト受け部材３１がポンプケーシング３の外壁に非接触となり、かつ、第２スラスト受け部材３２がポンプカバー４の内壁に非接触となる構成としたので、第１スラスト受け部材３１がポンプケーシング３の対向外壁に回転接触することなく、かつ、第２スラスト受け部材３２が仕切り体８及びポンプカバー４の内壁に回転接触することないので、異常音を発生させることがないとともに、実験によると、騒音値を従来品に比べて約２ｄB低下させ、かつ、振動平均値を従来品の約半分に低下させることができ、しかも、第１スラスト受け部材３１がポンプケーシング３の対向外壁に回転接触し、かつ、第２スラスト受け部材３２がポンプカバー４の内壁に回転接触することによって、ポンプケーシング３の対向外壁及びポンプカバー４の内壁が損傷することを防止できる。
【００５７】
さらに、上記実施形態の自吸式ポンプ装置１によれば、円筒状取り付け部材３４に、第１スラスト受け部材３１側の止めリング３３Ａを支持軸９に装着するために使用する止めリング装着用工具４１を挿入するための工具挿入開口３４Ｂを設けたので、円筒状取り付け部材３４を側面に一体形成した構成のポンプランナー１０であっても、止めリング装着用工具４０を円筒状取り付け部材３４の工具挿入開口３４Ｂに挿入することによって、支持軸９の止めリング装着溝９Ｃに止めリング３３Ａを簡単に装着することができる。
【００５８】
さらに、上記実施形態の自吸式ポンプ装置１によれば、ポンプケーシング３のモータ挿入開口３Ａからモータ部材２の回転軸２０Ａに取り付けられた駆動側円筒状マグネット体１６を、挿入するようにしたので、モータ部材２のモータケース１９が駆動側円筒状マグネット収納室１７の内壁に案内されるため、駆動側円筒状マグネット体１６の駆動側円筒状マグネット３９を円筒状凹部３Ｂに衝突させることなく、その駆動側円筒状マグネット３９を円筒状凹部３Ｂの外方に、円滑に配設させることができ、組立性が優れている。
【００５９】
さらに、上記実施形態の自吸式ポンプ装置１によれば、支持軸９の一端側を、ポンプケーシング３の外壁に設けたＤカット状嵌合穴３Ｈに挿入し、かつ、支持軸９の他端側を、仕切り体８の流入開口８Ｆを通しポンプカバー４の内壁面に設けた筒状凹部４Ｅに挿入した後、ポンプケーシング３とポンプカバー４を水密的に一体保持された状態にすることにより、ポンプケーシング３とポンプカバー４との間に挟持固定されるようにしたので、支持軸９が、回動することなく、確実に固定される。しかも、第１スラスト受け部材３１及び第２スラスト受け部材３２を、少なくとも２枚以上からなる前記支持軸に挿入されたワッシャー群３３と、このワッシャー群３３が支持軸９の外方への移動を止める止めリング３３Ａと、この止めリング３３Ａを支持軸９に固定するために支持軸９の外周に設けた止めリング装着溝９Ｃ、９Ｄとにより、ポンプランナーのスラスト方向のクリアランスを、ワッシャー群３３のうちの一枚のワッシャーの厚さ寸法よりも小さく設定されるようにしてあるので、従動側円筒状マグネット３５がポンプケーシング３の円筒状凹部３Ｂの内周壁に接触することが阻止されるとともに、ポンプランナー１０をロックさせることなく、支持軸９を軸としてポンプランナー１０を円滑に回転させることができる。また、自吸式ポンプ装置１の組立作業時に、組立作業者が誤って、ワッシャーの枚数を設定以上に支持軸９に嵌め込んで、自吸式ポンプ装置１の組立を完了させてしまった場合、例えば、３枚のところ４枚を支持軸９に嵌め込んで、自吸式ポンプ装置１の組立を完了させてしまった場合は、その自吸式ポンプ装置１のポンプランナー１０がロックしてしまう。したがって、組立作業完了、自吸式ポンプ装置１のポンプランナー１０の回転試験をすることで、支持軸９に設定枚数以上のワッシャーを嵌め込んでしまったことによる自吸式ポンプ装置１の不良品を抽出することができる。
【００６０】
さらに、上記実施形態の自吸式ポンプ装置１によれば、モータ本体２０は、円筒状のモータケース１９とモータキャップ２４とに覆われているので、湿気の高い環境中でも使用することができる。また、モータ部材２のモータケース１９の外周は、第２気水分離室７Ｂで覆われるので、その第２気水分離室７Ｂの水によってモータ本体２０の温度上昇が抑えられる。また、モータケース１９の一部を駆動側円筒状マグネット収納室１７内に挿入した状態で、取り付け片２２をポンプケーシング３の反ポンプカバー側外壁面３Ｃに締結すればよく、モータ部材２のポンプケーシング３への取り付け作業が容易に行える。
【００６１】
さらに、上記実施形態の自吸式ポンプ装置１によれば、逆流防止弁１４、封止弁座４Ａ及び水通路部４Ｇの形状を、横長楕円状とするとともに、逆流防止弁１４及び封止弁座４Ａが、仕切り体８の流入開口８Ｆと吸込み室５との境界部位から外周方向へ延びる延長線近傍であって、かつ、ポンプランナー収納室６内の外周に配置されるようにしたので、支持軸９の長手方向の長さ及び自吸式ポンプ装置１全体の縦寸法（回転軸２０Ａの長手方向の自吸式ポンプ装置１の寸法）を小さくすることができる。
【００６２】
さらに、上記実施形態の自吸式ポンプ装置１によれば、駆動側円筒状マグネット体１６は、円筒容器状収納ケース３６と、この円筒容器状収納ケース３６の底中央部に形成されてモータ本体２０の回転軸２０Ａに圧入固定される中空ボス部３７と、円筒容器状収納ケース３６の内周壁に嵌めた駆動側円筒状マグネット３９とからなり、円筒容器状収納ケース３６に複数個の弾性爪部３６Ａを、かつ、駆動側円筒状マグネット３９に複数個の係止凹部３９Ａを、それぞれ形成して、弾性爪部３６Ａを係止凹部３９Ａに係止させることによって、駆動側円筒状マグネット３９を円筒容器状収納ケース３６の内周壁に、周方向への回動及び軸方向への移動が行われることなく、取り付けるようにしたので、駆動側円筒状マグネット３９の円筒容器状収納ケース３６への取り付け作業が容易に行える。また、円筒容器状収納ケース３６内に駆動側円筒状マグネット３９を埋設させる構造としていないので、駆動側円筒状マグネット体１６の低コスト化を図ることができる。
【００６３】
さらに、上記実施形態の自吸式ポンプ装置１によれば、従動側円筒状マグネット体１５は、ポンプランナー１０の側面に設けられた円筒状取り付け部材３４と、この円筒状取り付け部材３４の外周壁に嵌めた従動側円筒状マグネット３５とからなり、円筒状取り付け部材３４に複数個の弾性爪部３４Ａを、かつ、従動側円筒状マグネット３５に複数個の係止凹部３５Ａを、それぞれ形成して、弾性爪部３４Ａを係止凹部３５Ａに係止させることによって、従動側円筒状マグネット３５を円筒状取り付け部材３４の外周壁に、周方向への回動及び軸方向への移動が行われることなく、取り付けるようにしたので、従動側円筒状マグネット３５の円筒状取り付け部材３４への取り付け作業が容易に行える。また、円筒状取り付け部材３４内に従動側円筒状マグネット３５を埋設させる構造としていないので、従動側円筒状マグネット体１５の低コスト化を図ることができる。
【００６４】
さらに、上記実施形態の自吸式ポンプ装置１のポンプカバー４及び仕切り体８によれば、特開２００６−１４４６２０号公報に記載された自吸式ポンプ装置のような軸封装置（シール装置）によりポンプランナー収納室内の水がモータ本体側に漏れないようにした構造のポンプカバー及び仕切り体にも兼用することができるので、便利である。
【００６５】
さらに、上記実施形態の自吸式ポンプ装置１によれば、封止ばね受け凹部８Ｂ内に設けた傾斜突起８Ｂ−１の上面と逆流防止弁１４における筒状突起部１４Ｃの内底面が略平行となるように設定されているとともに、逆流防止弁１４が開閉する際、逆流防止弁１４が横長楕円状であっても、２個（複数個）の封止ばね２９によって、逆流防止弁１４の弁体部１４Ａをポンプカバーの封止弁座４Ａに押し付けるようにしたので、その封止弁座４Ａ全体に弁体部１４Ａが略均一に強く押し付けられるため、吸込み室５から吸水口１１側への水の逆流を確実に阻止することができる。また、上記実施形態の自吸式ポンプ装置１によれば、ポンプケーシング３の外壁に設けた渦巻き状嵌合溝３Ｇに仕切り体８に形成した渦巻き壁８Ｃが嵌合するようにしているので、渦巻き状嵌合溝３Ｇと渦巻き壁８Ｃとの間から気水分離室７内の水が、ポンプランナー収納室６内に逆流することを簡単に阻止できる。
【００６６】
さらに、上記実施形態の自吸式ポンプ装置１では、逆流防止弁１４と封止ばね２９によって、自吸後、ポンプランナー１０の回転を停止させた場合に、吸込み室５の水が吸水口１１側に逆流することなく、吸込み室５及びポンプランナー収納室６に水が満たされているので、再度、ポンプランナー１０を回転させると、例えば、浴槽（風呂）から洗濯槽への風呂水（洗濯水）の給水を、直ちに行わせることができので、例えば、洗濯作業において、洗濯工程終了後、給水工程を経由してすすぎ工程に移行する場合に、ポンプ自吸時間を要することなく、給水開始指令と同時に洗濯槽への風呂水（洗濯水）の給水を行わせることができるため、洗濯作業時間を短縮させることができる。
【００６７】
さらに、上記実施形態の自吸式ポンプ装置１によれば、ポンプランナー１０の回転を停止した状態で、呼び水口１３から気水分離室７、ポンプランナー収納室６及び吸込み室５内に流入させた水道水を、吐出口１２から吐出用ホース（図示せず）を介して洗濯槽へ流出させるようにした場合であっても、逆流防止弁１４が封止ばね２９によって確実に閉じており、その水道水が吸水口１１側からポンプカバー４１の外に溢れてしまうことがないとともに、その水道水が、駆動側円筒状マグネット収納室１７と、従動側円筒状マグネット収納室１８及びポンプランナー収納室６が、ポンプケーシング３による隔壁（外壁面）によって遮断されているために、駆動側円筒状マグネット収納室１７に侵入することがなく、前記水道水がモータ部材２を介してポンプケーシング３の外に漏れることがない。したがって、洗濯作業時に、自吸式ポンプ装置１を利用して、水道水栓に直結された給水電磁弁（図示せず）から吐出された水道水を、開放状態で所定の管路を介して上記実施形態のポンプカバー４の呼び水口１３に注入させるようにしても、その水道水が、自吸式ポンプ装置１を設置したトップカバー等の上に流出することがない。
【００６８】
上記した弾性爪部３４Ａを係止凹部３５Ａに係止させることで、従動側円筒状マグネット３５を円筒状取り付け部材３４の外周壁に固定する構成及び弾性爪部３６Ａを係止凹部３９Ａに係止させることで、駆動側円筒状マグネット３９を円筒容器状収納ケース３６の内周壁に固定する構成は、呼び水口１３及び逆流防止弁１４を備えた本実施形態の自吸式ポンプ装置１に限定させるものではなく、駆動側円筒状マグネット３９と従動側円筒状マグネット３５を、ポンプケーシング３を介して同心円筒状に対向させることによって磁気結合させることによりポンプランナーを回転させるようにしたポンプ装置や呼び水口１３及び逆流防止弁１４を備えない構成のポンプ装置であっても採用できる。
【００６９】
さらに、上記した支持軸９の一端側であるDカット形状部９Ａを、円筒状凹部３Ｂの中央部に設けたＤカット状嵌合穴３Ｈに挿入し、かつ、支持軸９の他端側９Ｂを、仕切り体８の流入開口８Ｆを通してポンプカバー４の内壁面に設けた筒状凹部４Ｅに挿入した後、ポンプケーシング３とポンプカバー４を水密的に一体化させた状態にすることで、ポンプケーシング３とポンプカバー４との間に支持軸９を挟持固定した際、第１スラスト受け部材３１がポンプケーシング３の外壁に非接触となり、かつ、第２スラスト受け部材３２がポンプカバー４の内壁に非接触となる構成は、本実施形態のように、モータ本体２０の回転軸２０Ａが水平方向に延びるように配置した横型の自吸式ポンプ装置１に限定させるものではなく、モータ本体２０の回転軸２０Ａが垂直方向に延びるように配置した縦型のポンプ装置であっても採用できる。
【図面の簡単な説明】
【００７０】
【図１】本発明の一実施形態に係わる自吸式ポンプ装置の要部縦断面図である。
【図２】本発明の一実施形態に係わる自吸式ポンプ装置の要部外観斜視図である。
【図３】本発明の一実施形態に係わる自吸式ポンプ装置の従動側円筒状マグネット体及びポンプランナーの分解した状態をポンプランナー側から見た斜視図である。
【図４】本発明の一実施形態に係わる自吸式ポンプ装置の従動側円筒状マグネット体及びポンプランナーの分解した状態を従動側円筒状マグネット体側から見た斜視図である。
【図５】本発明の一実施形態に係わる自吸式ポンプ装置におけるポンプカバーに仕切り体が取り付けられた状態を示す要部斜視図である。
【図６】本発明の一実施形態に係わる自吸式ポンプ装置におけるポンプカバーから仕切り体及び封止ばねを取り外した状態を示す要部斜視図である。
【図７】本発明の一実施形態に係わる自吸式ポンプ装置における仕切り体の渦巻き壁が設けられた側から見た要部斜視図である。
【図８】本発明の一実施形態に係わる自吸式ポンプ装置における仕切り体の凹みが設けられた側から見た要部斜視図である。
【図９】本発明の一実施形態に係わる自吸式ポンプ装置における従動側円筒状マグネット体及びポンプランナーの部組状態での平面図である。
【図１０】本発明の一実施形態に係わる自吸式ポンプ装置における従動側円筒状マグネット体及びポンプランナーの部組状態での要部断面図である。
【図１１】本発明の一実施形態に係わる自吸式ポンプ装置のポンプランナー及び従動側円筒状マグネット体の分解要部斜視図である。
【図１２】本発明の一実施形態に係わる自吸式ポンプ装置の駆動側円筒状マグネット体の分解要部斜視図である。
【図１３】本発明の一実施形態に係わる自吸式ポンプ装置の支持軸に止めリングを取り付ける際のポンプランナーの円筒状取り付け部材に設けた工具挿入開口と止めリング装着用工具との関係を示す図である。
【図１４】本発明の一実施形態に係わる自吸式ポンプ装置の支持軸に止めリングを取り付ける際のポンプランナーと止めリング装着用工具との関係を示す図である。
【符号の説明】
【００７１】
１    自吸式ポンプ装置
２    モータ部材
３    ポンプケーシング
３Ａ  モータ挿入開口
３Ｂ  円筒状凹部
３Ｃ  反ポンプカバー側外壁面
３Ｄ  螺子穴
３Ｅ  取り付けフランジ
３Ｆ  溶着用リブ
３Ｇ  渦巻き状嵌合溝
３Ｈ  Ｄカット状嵌合穴
３Ｊ  突出円筒部
３K  結露用流出口
４    ポンプカバー
４Ａ  封止弁座
４Ｂ  取り付け凹部
４Ｃ  係止突起体
４Ｄ  凸状リブ
４Ｅ  筒状凹部
４Ｆ  取り付けフランジ
４Ｇ  水通路部
４Ｈ  溶着用溝
５    吸込み室
６    ポンプランナー収納室
７    気水分離室
７Ａ  第1気水分離室
７Ｂ  第２気水分離室
７Ａ−１、Ｂ−１  気水分離板
８    仕切り体
８Ａ  袋部
８Ｂ  封止ばね受け凹部
８B−１  傾斜突起
８Ｃ  渦巻き壁
８Ｄ  嵌合突起溝部
８Ｅ  押圧リブ
８Ｆ  流入開口
８Ｇ  凹み
９    支持軸
９Ａ  Dカット形状部
９Ｂ  他端側９Ｂ
９Ｃ、９Ｄ  止めリング装着溝
１０  ポンプランナー
１０Ａ  中央開口
１０Ｂ  軸体
１１  吸水口
１２  吐出口
１３  呼び水口
１４  逆流防止弁
１４Ａ  横長楕円状の弁体部
１４Ｂ  取り付け片部
１４Ｃ  筒状突起部
１５  従動側円筒状マグネット体
１６  駆動側円筒状マグネット体
１７  駆動側円筒状マグネット収納室
１８  従動側円筒状マグネット収納室
１９  モータケース
１９Ａ  モータ挿入円筒部
１９Ｂ  モータ本体挿入開口
１９Ｃ  貫通孔
２０  モータ本体
２０Ａ  回転軸
２１  モータキャップ
２２  取り付け片
２２Ａ  取り付け穴
２３  螺子
２４  モータパッキング
２５  電気的接続体
２６  弾性封止部材
２７  吸水ホース
２８  フイルター
２９  封止ばね
３０  軸受
３０Ａ  中空円筒部
３０Ｂ  円形状鍔部
３１  第１スラスト受け部材
３２  第２スラスト受け部材
３３  ワッシャー群
３３Ａ  止めリング
３４  円筒状取り付け部材
３４Ａ  弾性爪部
３４Ｂ  工具挿入開口
３５  従動側円筒状マグネット
３５Ａ  係止凹部
３６  円筒容器状収納ケース
３６Ａ  弾性爪部
３６Ｂ  型抜き孔
３７  中空ボス部
３８  抜け止め筒部材
３９  駆動側円筒状マグネット
３９Ａ  係止凹部
４０  止めリング装着用工具
４１  ステンレス線
４２  水切り部材
【図１】
0004953102.tif 000002
【図２】
0004953102.tif 000003
【図３】
0004953102.tif 000004
【図４】
0004953102.tif 000005
【図５】
0004953102.tif 000006
【図６】
0004953102.tif 000007
【図７】
0004953102.tif 000008
【図８】
0004953102.tif 000009
【図９】
0004953102.tif 000010
【図１０】
0004953102.tif 000011
【図１１】
0004953102.tif 000012
【図１２】
0004953102.tif 000013
【図１３】
0004953102.tif 000014
【図１４】
0004953102.tif 000015